(57)【特許請求の範囲】
【請求項１】
シャワー吐出口と原水入口とを有し、内部にろ材を有する浄水シャワーであって、該浄水シャワー内の全ての流路または全ての流路に共通な流路を閉塞する止水弁を有し、該止水弁は前記ろ材と前記原水入口の間に設けられていると共に、前記ろ材を通過する浄水流路より圧力損失を小さくした原水流路のみを閉塞する開閉弁をろ材よりも下流側に備え、前記浄水流路は前記開閉弁の開閉に関わらず開放されていることを特徴とする浄水シャワー。
【請求項２】
ろ材が脱塩素材であることを特徴とする請求項１に記載の浄水シャワー。
【請求項３】
脱塩素材が、亜硫酸カルシウム、およびアスコルビン酸から選ばれた少なくとも１種からなることを特徴とする請求項２に記載の浄水シャワー。
【請求項４】
脱塩素材が、活性炭、亜硫酸カルシウムを添着させた活性炭、およびアスコルビン酸を添着させた活性炭から選ばれた少なくとも１種からなることを特徴とする請求項２に記載の浄水シャワー。
【請求項５】
前記ろ材が脱塩素材であり、該脱塩素材が浄水シャワー本体に着脱可能な円筒状のカートリッジに含まれ、原水流路は、前記原水入口から前記カートリッジの内周面側へ流入し、前記開閉弁を通り前記シャワー吐出口に至る流路であり、かつ浄水流路は、前記原水入口から前記カートリッジの内周面側へ流入し、前記カートリッジを通過し、前記カートリッジ外周面と前記浄水シャワー本体との間を通り前記シャワー吐出口に至る流路であることを特徴とする請求項１〜４のいずれかに記載の浄水シャワー。
【請求項６】
止水弁と連動し通水と止水とを切り換える係止機構を備えていることを特徴とする請求項１〜５のいずれかに記載の浄水シャワー。
【請求項７】
請求項６に記載の浄水シャワーであって、係止機構を操作する操作片が、浄水シャワーと連結されるシャワーホースと該浄水シャワーに設けられたグリップとの間に備えられていることを特徴とする浄水シャワー。
【請求項８】
止水弁が開閉弁であることを特徴とする請求項１〜７のいずれかに記載の浄水シャワー。
【発明の詳細な説明】
【０００１】
【発明の属する技術分野】
本発明は浴室のシャワー水の塩素などを軽減することを目的とした浄水シャワーに関する。
【０００２】
【従来の技術】
従来、シャワーヘッド内部に活性炭などのろ材や亜硫酸カルシウムなどの薬剤を用いたカートリッジを封入し、水道水をカートリッジに案内し、水道水中の残留塩素を除去または分解あるいは水道水中の鉄錆などのゴミを除去するなどしてからシャワーとして吐出する浄水シャワーがある。
【０００３】
しかしながら、上記従来の浄水シャワーでは以下のような問題があった。
【０００４】
浄水を用いて洗髪している時に手探りで水栓に付いているシャワーの止水栓を作動させるため使用者は煩わしさを感じる。
【０００５】
こまめにシャワーを止水できないため、シャワーが不必要なときでも湯水は流れ水道水を無駄に流し、脱塩素材の寿命を低下させ、水資源と脱塩素材の浄化能力を浪費していた。
【０００６】
【発明が解決しようとする課題】
本発明の課題は、上記従来の浄水シャワーの問題点を解消せんとするものであり、浄水シャワーの使用者が煩わしさを感じることなく、操作が簡便でこまめにシャワーを止水でき、水と脱塩素材の浄化能力の浪費を防ぐ浄水シャワーを提供することにある。
【０００７】
【課題を解決するための手段】
上記課題を解決するために本発明の浄水シャワーは、シャワー吐出口と原水入口とを有し、内部にろ材を有する浄水シャワーであって、該浄水シャワー内の全ての流路または全ての流路に共通な流路を閉塞する止水弁を有し、該止水弁は前記ろ材と前記原水入口の間に設けられていると共に、前記ろ材を通過する浄水流路より圧力損失を小さくした原水流路のみを閉塞する開閉弁をろ材よりも下流側に備え、前記浄水流路は前記開閉弁の開閉に関わらず開放されていることを特徴とする。上記止水弁を脱塩素材と原水入口との間に設けているので、脱塩素材が水圧によって変形や脱離といった不都合が生じるのを防ぐことができる。本発明の浄水シャワーは、水に溶け込んで塩素を分解する脱塩素材に適しているので、ろ材は脱塩素材であることが好ましく、また、該脱塩素材が亜硫酸カルシウムもしくはアスコルビン酸からなることが好ましい。
【０００８】
また、本発明の浄水シャワーは、原水と接触することで浄化能力を消耗する脱塩素材に適しているので、脱塩素材が活性炭からなることも好ましく、さらには、脱塩素材が亜硫酸カルシウムを添着させた活性炭、またはアスコルビン酸を添着させた活性炭からなることも好ましい。
【００１１】
また、本発明の浄水シャワーにおいては、シャワーのグリップを手で持ったときに、持ち手の指で原水と浄水の切換を行うことができるように、原水流路を閉塞する上記開閉弁をろ材よりも下流側に設けることができる。
【００１４】
また、簡便な操作で止水と通水との切換を行えるように、弁体と連動し通水と止水とを切り換える二段係止機構を備えていることが好ましく、より好ましくは、シャワーのグリップを手で持った状態で、浄水シャワーの止水と通水とを切り換える操作部を、壁や床に押しつけるだけで、片手で止水と通水とを切り換えることができるように、二段係止機構を操作する操作片がシャワーホースとグリップとの間に設けられていることが望ましい。
【００１５】
また、本発明の浄水シャワーは、圧力損失の観点から、止水弁が開閉弁であることが好ましい。
【００１６】
【発明の実施の形態】
以下に、本発明に係る浄水シャワーの望ましい実施の形態について、図面を参照しながら説明する。
【００１７】
本発明の課題は、浄水シャワーの使用者が煩わしさを感じることなく、操作が簡便でこまめにシャワーを止水でき、水と脱塩素材の浄化能力の浪費を防ぐ浄水シャワーとして好適に用いることができる。
【００１８】
図１は、本発明の一実施態様に係る浄水シャワー１を示している。図１においてシャワー１は、ヘッド２とグリップ３と脱塩素材を含むカートリッジ４と止水部５と操作部６からなっている。
【００１９】
流路の構成は、シャワーホース８から供給される原水が原水入口５４に入り、止水部５に案内され、原水流路Ａもしくは浄水流路Ｂのいづれかを通りヘッド２のシャワー板２２からシャワーとして吐出する。
【００２０】
図２は、通水時の止水部５の拡大を示している。止水部５は、止水弁５１と止水孔５２および原水入口５４があり、止水弁５１は弁回転軸５３を中心に回転するようになっている。
【００２１】
通水時においては原水は原水入口５４から流入し、止水孔５２を通過し、グリップ３内のカートリッジ４に案内される。
【００２２】
図３は止水時の止水部５の拡大を示している。止水時においては、原水の通水路である止水孔５２が止水弁５１によって塞がれるため原水は通水せず、カートリッジ４に原水は流入しない。
【００２３】
一方、図１に示した本発明の浄水シャワーの内部には、原水流路Ａと浄水流路Ｂが形成されているが、止水孔５２は原水流路Ａと浄水流路Ｂの共通の流路である。止水弁５１によって止水孔５２が閉塞することで、原水流路Ａおよび浄水流路Ｂはともに閉塞されるので、シャワー板２２からの吐出は止水される。
【００２４】
本発明において、全ての流路に共通な流路とは、例えば、シャワー内で原水流路と浄水の流路とに分岐し、合流している場合、分岐する前の流路や、合流後の流路のことである。
【００２５】
また、図２に示す通水状態と図３に示す止水状態とを切り換える手段は、操作部６である。
【００２６】
操作部６は、操作片６１と二段係止機構６２とからなっており、操作片６１を操作すると二段係止機構６２が連動して操作され、二段係止機構６２の操作により止水弁５１が開閉するようになっている。
【００２７】
図４に二段係止機構の分解図を示している。図４に示すように、止水弁５１を弁回転軸５３を中心に回転させるための弁操作ロッド６２５は摺動可能に挿通されており、その先端が当部材６２５の前面部と弁ジョイント６２６が嵌合されて弁操作ロッド６２５と止水弁５１とが一体的に連結されている。
【００２８】
二段係止機構６２は、案内筒６２１と、該案内筒６２１の内部先端まで挿入され、かつ操作片６１に当接する往復カム６２２と、該往復カム６２２に噛み合い、かつ弁操作ロッド６２５の他端に係合された回転カム６２３と、弁操作ロッド６２５を前方手前（回転カム６２３）側に付勢するばね６２４とで構成されている。
【００２９】
使用者が図２に示す通水状態から図３に示す止水状態に切り換える場合は操作片６１を一度押すことにより行われる。操作片６１が押されると、往復カム６２２および回転カム６２３が案内筒６２１内を摺動し、ばね６２４を縮ませ、弁操作ロッド６２５を摺動させる。回転カム６２３が案内筒６２１の案内溝から外れると、回転カム６２３は往復カム６２２との嵌合により回転し位相がずれ、操作片６１は案内筒６２１の先端に当たり移動が止まる。このとき、止水弁５１は弁操作ロッド６２５に押されて弁回転軸５３を中心に回転運動し、止水孔５２を塞ぎ、原水の流れを止水する。
【００３０】
次に、ばね６２４の反発力が作用し、弁操作ロッド６２５、回転カム６２３および往復カム６２２を押し戻す。このとき、回転カム６２３は位相がずれており、案内筒６２１の案内溝に引っかかり、移動が停止し、弁操作ロッド６２５の位置を固定し、原水の流れが止水された状態を維持する。
【００３１】
また、使用者が図３に示す止水状態から図２に示す通水状態に切り換える場合は、止水する場合と同様に操作片６１を一度押すことにより行われる。操作片６１が押されると、往復カム６２２および回転カム６２３が案内筒６２１内を摺動する。往復カム６２２が回転カム６２３と嵌合すると回転カム６２３が回転し位相がずれて元の位相に戻り、操作片６１は案内筒６２１の先端に当たり移動が止まる。
【００３２】
次に、ばね６２４の反発力が作用し、弁操作ロッド６２４、回転カム６２３および往復カム６２２を押し戻す。このとき、回転カム６２３は位相が元に戻っているので、案内筒６２１の案内溝に引っかかることなく移動し、ばね６２４の反発力で移動している弁操作ロッド６２５の先端に嵌合している弁ジョイント６２６が止水弁５１を引っ張り、止水孔５２を開口させ、原水をカートリッジ４へ通水させる。
【００３３】
例に示した実施態様では、止水弁５１はハッチ式の弁であり、止水孔５２を全閉、全開することができるため、圧力損失の発生を極力抑えることができる。
【００３４】
また、止水弁５１は、止水孔５２を全閉して止水するが、使用上問題がなければ、完全に全閉でなく、若干の漏れを発生させ、止水弁５１に作用する圧力を軽減してもよい。
【００３５】
また、本発明の実施態様の１つである図１には、原水流路と浄水流路との切換弁を備えている。図１では切換部はグリップ３とヘッド２の間に備えてあるが、止水部５とグリップ３との間であっても、止水部とシャワーホース８との間に設けてもよい。
【００３６】
図１において原水流路ａは原水入口５４から止水部５、止水孔５２を通り、円筒状のカートリッジ４の内周面側へ流入し、カートリッジ４切換部７からヘッド２に入ってシャワー板２２からシャワーとして噴射される経路をいう。
【００３７】
一方、浄水流路ｂは、原水入口から止水部５、止水孔５２をとおり、円筒状のカートリッジ４の内周面側へ流入し、カートリッジ４の内部を通過する。このとき原水中の残留塩素は除去あるいは分解される。そのあと、カートリッジ４の外周面を通過し、切換部７を通り、ヘッド２に入りシャワー板２２から浄水のシャワーとして噴射する経路をいう。
【００３８】
図５および図６は本発明の実施態様の切換部７の詳細を示しており、図５は浄水流路選択時、図６は原水流路選択時をそれぞれ示している。
【００３９】
図５および図６に示す切換部７は、原水流路ａのみを閉塞する開閉弁であるが、これは原水流路ａと浄水流路ｂとを交替で塞ぐ弁でも交替で開く弁でもよい。しかしながら、原水流路ａのみを閉塞する開閉弁の方が、構造が単純であり、好ましい。
【００４０】
切換部７の操作により浄水を選択する場合、切換ロッドＢ７１ｂを押し込むことにより行う。これにより、止水ボール７２が原水通路７３を塞ぎ、原水の通り道はカートリッジ４を通過する浄水流路ｂのみとなり、ヘッド２から吐出される水は浄水となる。
【００４１】
また、切換部７の操作により原水を選択する場合、切換ロッドＡ７１ａを押し込むことにより行う。これにより、止水ボール７２が移動し、原水通路７３を開口させる。このとき、原水流路ａおよび浄水流路ｂともに開放となるが、浄水流路ｂはカートリッジ４の分だけ原水流路ａよりも圧力損失が大きいため、すなわち、原水は圧力損失の低い原水流路ａを選択的に通過し、ヘッド２から原水が吐出される。
【００４２】
ここで、切換部７の切換弁は止水ボール７２を用いたボール弁であるが、原水流路を閉塞できる弁であれば、バタフライ弁やコック弁などを使用してもよい。
【００４３】
また、図１に示す本発明の実施の形態では、止水部をシャワーホースとの接続部に近い部分に設けたので、使用者は、本発明の浄水シャワーを片手で持ちながら、図７のように操作片を床、壁、身体などに押し付けて、止水と通水とを切り換えることができる。
【００４４】
また、本発明の実施の態様の１つである図１には、切換部７はカートリッジ４の下流側、使用者が手で握るグリップ３の上部に備えている。これにより、使用者は、グリップ３を持っている手の指で切換部７を操作することができ、グリップ３を握っている手の腕を動かして操作部６の操作片６１を壁や床などに押しつけて操作することができる。すなわち、片手で原水と浄水の切換および止水と通水の切換を行うことができる。
【００４５】
また、切換部７と操作部６とを集中して備えることで、使用者が操作する箇所を１カ所にまとめてもよい。
【００４６】
また、図８は、切換弁と止水弁とが一体となっている本発明の浄水シャワーの一例を示す全体断面図であり、図９は、原水流路Ａ選択時の詳細図であり、図１０は浄水流路Ｂ選択時の詳細図であり、図１１は止水状態の詳細図である。
【００４７】
図８、図９、図１０、図１１に示しているように、原水流路を閉塞する切換弁と、浄水流路と原水流路を閉塞する止水弁とが一体となっていてもよい。
【００４８】
また、図８に示す本発明の一実施態様のように、止水機構を脱塩素材を含むカートリッジ４とシャワー吐出口であるシャワー板２２との間に設けることができる。
【００４９】
図９に示すように、一体弁ロッド９１を操作し、選択通水孔９１１と原水通水孔９３とを合わせると、原水流路のみ開通されるため、原水がヘッド２に案内される。
【００５０】
図１０に示すように、一体弁ロッド９２を操作し、選択通水孔９１１と浄水通水孔９２とを合わせると、浄水流路のみ開通されるため、浄水がヘッド２に案内される。
【００５１】
図１１のように、一体弁ロッド９１を操作し、選択通水孔９１１を原水通水孔９３および浄水通水孔９２のいずれからも逃がすと、原水通水孔９３も浄水通水孔９２も一体弁ロッド９１によって閉塞されるため、ヘッド２へは水が案内されない止水状態となる。
【００５２】
すなわち、図８〜図１１に示すような本発明の浄水シャワーの一実施態様では、操作箇所が一体弁ロッド９１一カ所のみであり、使用者は一つのスイッチで浄水と原水と止水とを選択できるので、使用者は煩わしさや、複雑さを感じることなく、簡便かつ容易に原水と浄水との切換や、止水することができる。
【００５３】
カートリッジ４に含まれている脱塩素材には、亜硫酸カルシウム、アスコルピン酸、活性炭などが好ましいが、亜硫酸カルシウムやアスコルビン酸を添着させた活性炭であってもよく、これらを相互に組み合わせて使用してもよい。上記の活性炭、亜硫酸カルシウム、アスコルビン酸などの脱塩素材は、純度が１００％ではなく、不純物が混ざっていても脱塩素材としての能力を発揮するものであればよい。
【００５４】
また、カートリッジ４は、ヘッド２とグリップ３との嵌合を外すことで容易に着脱することができるようにすることが好ましい。カートリッジ４を着脱可能とすることで、カートリッジ４以外の止水部５、操作部６、グリップ、ヘッド２などの部品は、カートリッジ４を交換した後も継続して使用することができる。
【００５５】
本発明の浄水シャワーでは、原水の供給を止める止水弁５１を設けたので、使用者が煩わしさを感じずにこまめに止水することができ、活性炭や亜硫酸カルシウム、アスコルビン酸といった原水と接触するだけで浄化能力を消耗する脱塩素材の消耗および、水の使用量を極力抑えることができ、経済的であるとともに環境影響を軽減することができる。
【００５６】
【発明の効果】
以上説明したように、本発明に係る浄水シャワーにおいては、操作が片手で行うことができるほどに簡便で、使用者が煩わしさを感じずにこまめにシャワーを止水することができ、水と脱塩素材の浄化能力の浪費を防ぐことができる。
【図面の簡単な説明】
【図１】本発明の浄水シャワーの一実施形態の組立縦断面図である。
【図２】本発明の浄水シャワーの通水時の止水部の拡大図である
【図３】本発明の浄水シャワーの止水時の止水部の拡大図である。
【図４】本発明の浄水シャワーの操作部に設けられている二段係止機構の詳細図である。
【図５】本発明の浄水シャワーの浄水流路選択時の切換部の詳細図である。
【図６】本発明の浄水シャワーの原水流路選択時の切換部の詳細図である。
【図７】本発明の浄水シャワーの一実施形態の一使用例である。
【図８】本発明の浄水シャワーの他の一実施形態を示す組立縦断面図である。
【図９】図８の実施形態の原水選択時の切換状態の詳細図である。
【図１０】図８の実施形態の浄水選択時の切換状態の詳細図である。
【図１１】図８の実施形態の止水選択時の切換状態の詳細図である。
【符号の説明】
１：浄水シャワー
２：ヘッド
２２：シャワー板
３：グリップ
４：カートリッジ
５：止水部
５１：止水弁
５２：止水孔
５３：弁回転軸
５４：原水入口
６：操作部
６１：操作片
６２：係止機構
６２１：案内筒
６２２：往復カム
６２３：回動カム
６２４：ばね
６２５：弁操作ロッド
６２６：弁ジョイント
７：切換部
７１ａ：切換ロッドＡ
７１ｂ：切換ロッドＢ
７２：止水ボール
７３：原水通路
８：シャワーホース
９１：一体弁ロッド
９１１：選択通水孔
９２：浄水通水孔
９３：原水通水孔
Ａ：原水流路
Ｂ：浄水流路
【図１】
0004982916.tif 000002
【図２】
0004982916.tif 000003
【図３】
0004982916.tif 000004
【図４】
0004982916.tif 000005
【図５】
0004982916.tif 000006
【図６】
0004982916.tif 000007
【図７】
0004982916.tif 000008
【図８】
0004982916.tif 000009
【図９】
0004982916.tif 000010
【図１０】
0004982916.tif 000011
【図１１】
0004982916.tif 000012